(57)【特許請求の範囲】
【請求項１】
ヨロイにテンプルが折り畳み可能に結合された蝶番構造を有する眼鏡フレームにおいて、
前記ヨロイ又はテンプルの一方における前記蝶番構造から離れた位置に一端が固定され、他端が自由端になっている弾性片と、
前記ヨロイ又はテンプルの他方における前記蝶番構造から離れた位置に基部が固定され、先端部が前記テンプルを開いた状態で前記弾性片に当接するように形成された略アーチ状の当接部とを有し、
前記テンプルの折り畳み状態を解除し、該テンプルを開いて眼鏡装用状態にし、該テンプルをさらに開く方向に操作した場合に、前記弾性片が前記当接部の先端部に当接してこれを変形させる関係に前記弾性片及び当接部の配置構造を選定したことを特徴とする眼鏡フレーム。
【請求項２】
前記弾性片が前記当接部に当接して所定以上変形したときにそれ以上の変形を阻止するように前記弾性片の自由端に当接する第２の当接部を前記ヨロイ又はテンプルの一方に設けたことを特徴とする請求項１に記載の眼鏡フレーム。
【請求項３】
前記弾性片は前記ヨロイ又はテンプルと一体的に形成されていることを特徴とする請求項１又は２に記載の眼鏡フレーム。
【請求項４】
前記弾性片は、前記ヨロイ又はテンプルと別部材で構成されて前記ヨロイ又はテンプルに固定手段によって固定されているものであることを特徴とする
請求項1〜３のいずれかに記載の眼鏡フレーム。
【請求項５】
前記当接部は前記ヨロイ又はテンプルと一体的に形成されていることを特徴とする請求項１〜４のいずれかに記載の眼鏡フレーム
【請求項６】
前記当接部は、前記ヨロイ又はテンプルと別部材で構成されて前記ヨロイ又はテンプルに固定手段によって固定されているものであることを特徴とする請求項１〜５のいずれかに記載の眼鏡フレーム。
【請求項７】
請求項１〜６のいずれかに記載の眼鏡フレームを用いたことを特徴とする眼鏡。
【発明の詳細な説明】
【０００１】
【産業上の利用分野】
本発明は、眼鏡装用状態になるようにテンプルを開いた状態からさらにバネ性をもってテンプルを外側に開けるようにした、いわゆるバネ蝶番を有する眼鏡フレーム及びこの眼鏡フレームを用いた眼鏡に関する。
【０００２】
【従来の技術】
眼鏡装用状態になるようにテンプルを開いた状態からさらにバネ性をもってテンプルを外側に開けるようにした、いわゆるバネ蝶番を有する眼鏡フレームが知られている。このバネ蝶番を有する眼鏡フレームは、以下のような目的で提案されたものである。
（１）眼鏡の脱着をスムーズに行えるようにする。
（２）装用中に眼鏡フレームに大きな外力が加わったときに眼鏡フレームが大きく変形することを軽減できるようにする。
（３）装用中に眼鏡フレームに大きな外力が加わったときに眼鏡フレームの破壊のおそれを防止して、装用者の安全確保をより完全なものにする。
【０００３】
バネ蝶番を有する眼鏡フレームとしては、例えば、特開平６−２４２４０６号に記載のものや、特公平７−３５１５号公報記載のものが知られている。特開平６−２４２４０６号に記載のものは、テンプルをテンプル側蝶番に対してスプリングを圧縮しながらスライドできるようにしたものである。これにより、テンプルを開いた状態からバネ性をもってさらに外側に開くことができるようにしたものである。
【０００４】
また、特公平７−３５１５号公報記載のものは、例えば、テンプル側蝶番の周縁可動端に当り爪を設け、テンプルを開いたときにこの当り爪に当接するバネをよろい側に設けたものである。これにより、テンプルをバネ性をもってさらに外側に開くことができるようにしたものである。
【０００５】
【発明が解決しようとする課題】
しかしながら、特開平６−２４２４０６号に記載のものは、テンプルをテンプル側蝶番に対してスプリングを圧縮しながらスライドできるようにするための構造が複雑である。このため、全体の形状が大きくかつ製作コストもかさむ。また、その設計上、バネが蝶番を常に押した状態の構造になった場合には、組付に専用の治具が必要になって、店頭でのテンプル交換や修理が困難になるという問題も生ずる。また、バネ部が閉じられた箱状になり、水分等が侵入した場合には、腐食が問題になることもあった。
【０００６】
また、特公平７−３５１５号公報記載のものは、複数の部品がロー付けで一体に形成される蝶番部にさらに当り爪（バネ構造）を作り込まなければならない。それゆえ、ロー付けの際に当り爪のバネ部分が熱的影響を受けてバネ性を低下させるおそれが高い。そのため、必要なバネ弾力を維持できない場合も生ずる。さらに、蝶番部分にバネ構造を作り込んでいることから当り爪をどうしても小さくせざるを得ない等の構造上及びデザイン上の制約が多い。それゆえ、長期間使用におけるバネ性の維持や耐摩耗性等の耐久性に対する配慮、あるいは、安全性に対するデザイン上の配慮等を十分に実現することが困難であるという問題もある。
【０００７】
本発明は、このような点に鑑みてなされたものであり、単純な構成で、デザインや構造上の制約が少なく、十分な機能及び耐久性を有し、かつ製作や修理が容易であるバネ蝶番を有する眼鏡フレームを提供することを目的とする。
【０００８】
【課題を解決するための手段】
上記課題を解決するための手段として、本発明にかかる第１の手段は、（１）ヨロイにテンプルが折り畳み可能に結合された蝶番構造を有する眼鏡フレームにおいて、  前記ヨロイ又はテンプルの一方における前記蝶番構造から離れた位置に一端が固定され、他端が自由端になっている弾性片と、  前記ヨロイ又はテンプルの他方における前記蝶番構造から離れた位置に基部が固定され、先端部が前記テンプルを開いた状態で前記弾性片に当接するように形成された略アーチ状の当接部とを有し、前記テンプルの折り畳み状態を解除し、該テンプルを開いて眼鏡装用状態にし、該テンプルをさらに開く方向に操作した場合に、前記弾性片が前記当接部の先端部に当接してこれを変形させる関係に前記弾性片及び当接部の配置構造を選定したことを特徴とする眼鏡フレームである。第２の手段は、（２）前記弾性片が前記当接部に当接して所定以上変形したときにそれ以上の変形を阻止するように前記弾性片に当接する第２の当接部を設けたことを特徴とする第１の手段にかかる眼鏡フレームである。第３の手段は、（３）前記弾性片は前記ヨロイ又はテンプルと一体的に形成されていることを特徴とする第１又は第２の手段にかかる眼鏡フレームである。第４の手段は、（４）前記弾性片は、前記ヨロイ又はテンプルと別部材で構成されて前記ヨロイ又はテンプルに固定手段によって固定されているものであることを特徴とする第１〜第３のいずれかの手段にかかる眼鏡フレームである。第５の手段は、（５）前記当接部は前記ヨロイ又はテンプルと一体的に形成されていることを特徴とする第１〜第４のいずれかにかかる眼鏡フレームである。第６の手段は、（６）前記当接部は、前記ヨロイ又はテンプルと別部材で構成されて前記ヨロイ又はテンプルに固定手段によって固定されているものであることを特徴とする第１〜第５のいずれかにかかる眼鏡フレームである。第７の手段は、（７）第１〜第６のいずれかにかかる眼鏡フレームを用いたことを特徴とする眼鏡である。
【０００９】
【作用】
上述の構成によれば、前記テンプルの折り畳み状態を解除し、該テンプルを開いて眼鏡装用状態にし、該テンプルをさらに開く方向に操作した場合に、前記弾性片が当接部に当接してこれを変形させる関係に前記弾性片及び当接部の配置構造が選定されているので、開いた状態からバネ性をもってテンプルをさらに外側に開くことができる。しかも、上記弾性片がヨロイ又はテンプルの一方における前記蝶番構造から離れた位置に一端が固定されており、また、上記当接部がヨロイ又はテンプルの他方における蝶番構造から離れた位置に設けられている。このため、弾性片及び当接部によるバネ構造の設計の自由度が著しく増し、構造上及びデザイン上の制約が極めて少ない。その結果、長期間使用におけるバネ性の維持や耐摩耗性等の耐久性に対する配慮、あるいは、装用感や安全性に対するデザイン上の配慮等を十分に実現することが可能になった。
【００１０】
【発明の実施の形態】
（実施例１）
図１は本発明の実施例１にかかる眼鏡の平面図、図２は本発明の実施例１にかかる眼鏡の正面図、図３は本発明の実施例１にかかる眼鏡の側面図、図４は本発明の実施例１にかかる眼鏡フレームの部分断面図である。以下、本発明の実施例１にかかる眼鏡フレームをこれらの図面に基づいて説明する。なお、この実施例は、本発明を、いわゆるリムレスフレームを用いた眼鏡に適用した例である。
【００１１】
これらの図において、符号１は左右の眼鏡レンズであり、この左右の眼鏡レンズ１は、ブリッジ５によって結合され、さらに、左右レンズ１の左右端にはヨロイ２が取り付けられている。さらに、それぞれのヨロイ２にはテンプル４が蝶番部３を介して開閉自在に取り付けられて眼鏡が構成されている。なお、ブリッジ５には鼻当て用のパッド６が取り付けられている。
【００１２】
図４は蝶番部３の近傍の断面図である。図４に示されるように、蝶番部３は、ヨロイ２のテンプル側端部に形成された雄型蝶番片３２に、テンプル４のヨロイ側端部に形成された雌型蝶番片３４がはめ込まれ、これらに蝶番軸片３１が貫通して取り付けられたものである。
【００１３】
すなわち、雄型蝶番片３２はヨロイ２の端部の紙面垂直方向の厚さを薄く形成して蝶番軸片３１をはめ込む貫通軸穴部を形成したものである。また、雌型蝶番片３４はテンプル４の端部を二股構造にして雄型蝶番片３２をこの二股部の内部に挟み込むようにしてはめ込む構造になっている。雌型蝶番片３４にも同様に貫通軸穴部が形成され、雌型蝶番片３４に雄型蝶番片３２をはめ込んだ状態でこれら雄雌蝶番片を貫通するようにして蝶番軸片３１が取り付けられている。これにより、テンプル４がヨロイ２に開閉自在に取り付けられているものである。
【００１４】
なお、蝶番軸片３１としては、例えば、ビス状に形成したものを用い、雌型蝶番片３４の二股構造の二股片のいずれかの貫通軸穴に形成したネジ構造部にねじ込む等の方法によって固定されるようになっている。
【００１５】
ヨロイ２のテンプル側寄りではあるが雄型蝶番片３２から離れた位置に、当接片２１（当接部）が取り付けられている。この当接片２１は、略アーチ状をなしたもので、基部がビス２２によってヨロイ２に固定され、先端部が、テンプル４を開いた状態において、該テンプル４に設けられたバネ片４１に当接するように形成されている。
【００１６】
上記バネ片４１は、テンプル４のヨロイ２側寄りの部位に設けられた長穴４３内にヨロイ側端部が自由端になるように配置され、その反対側の端部がテンプル４に設けられた固定用の段差部４４にビス４２によって固定された、いわゆる片持梁（カンチレバー）構造をなしている。なお、この実施例では、長穴４３のヨロイ側端部は穴部が閉じられてストッパー片３５（第２の当接部）が形成されている。
【００１７】
上述に構成において、当接片２１のテンプル側先端は、テンプル４を折り畳んだ状態（図示せず）ではバネ片４１に当接せず、眼鏡を装用状態にするためにテンプル４を開いた状態（図４（Ａ）の状態）ではじめてバネ片４１に当接する。テンプル４をそれ以上開いた場合には、それに抗する弾性力が働くようになっている（図４（Ｂ）の状態）。
【００１８】
そして、装用状態からの開き角α（図４（Ｂ）参照）が例えば５度になったときに、バネ片４１の先端がストッパー片３５に当ってその動きが止められるようになっている。すなわち、この場合、バネ片４１はいわゆる両持梁構造になる。したがって、さらにテンプル４を開いて、装用状態からの開き角をα（例えば、５°）以上の角度βにすることも可能である（図４（Ｃ）参照）が、それには非常に大きな力が必要になるようになっている。
【００１９】
すなわち、開き角αに至るまでは比較的弱い弾性力しか働かない。しかし、それ以上の角度βにまで開こうとする場合には強い弾性力が働くことになる。これにより、開き角がある角度（例えば、５°）以上となる場合にはそれ以上開きにくくなるようになっている。したがって、不用意に強い力が加わった場合でも、フレームが変形したりする虞れを有効に防止できる。
【００２０】
（実施例２）
図５は本発明の実施例２にかかる眼鏡フレームの部分図であり、図５（Ａ）が部分側面図、図５（Ｂ）が部分断面図である。この実施例は、バネ片４１をテンプル４の一部を延長して該テンプルと一体に形成し、また、実施例１におけるストッパー片３５に相当する部材を設けなかった点で実施例１と異なる。これにより、構造を単純にしたものである。
【００２１】
（実施例３）
図６は本発明の実施例３にかかる眼鏡フレームの部分図であり、図６（Ａ）が部分側面図、図６（Ｂ）が部分断面図である。この実施例は、弾性片として、基端部をテンプル４側に固定したアーチ状バネ片４４を用いた例である。このバネ片４４は、アーチ状の先端部が当接部たるヨロイ２の外周部に当接する。基端部は、テンプル４に設けられた取付溝部４５にはめ込まれて固定ビス４２によって固定されている。すなわち、テンプル４を装用状態からさらに外側に開くと、バネ片４４の先端部がヨロイに当接して変形し、弾性力が働くようになっている。これにより、当接部をヨロイ２自体で代用して構造を単純化したものである。
【００２２】
（実施例４）
図７は本発明の実施例４にかかる眼鏡フレームの部分図であり、図７（Ａ）が部分側面図、図７（Ｂ）が部分断面図である。この実施例は、弾性片をヨロイ２側に設け、当接部をテンプル４側に設けた例である。弾性片を構成するバネ片２４は、基端部がビス２２によってヨロイ２に固定され、先端部がヨロイ２の蝶番部３寄りの部位に形成された孔部２５内を移動できる自由端とされている。当接部たる当接片４５は、実施例３のバネ片４４と類似の形状をしているが、バネ片４４に比較してアーチ状部分を短くして剛性を高くしてある。すなわち、テンプル４を装用状態からさらに外側に開くと、当接片４５の先端部がバネ片２４の先端部に当接して変形させ、テンプル４を開く方向に対して弾性力が働くようになっている。この実施例は、弾性片及び当接部共に交換可能なものにして修理を容易にしている。
【００２３】
（実施例５）
図８は本発明の実施例５にかかる眼鏡フレームの部分図であり、図８（Ａ）が部分側面図、図８（Ｂ）が部分断面図である。この実施例は、弾性片をヨロイ２側に設け、当接部をテンプル自体の外周部で代用したものである。弾性片を構成するバネ片２４１は、略アーチ状をなし、その基端部がビス２２によってヨロイ２に固定され、先端部が当接部たるテンプル４の外周部に当接する。この実施例は、弾性片だけ交換できるようにして、機構を単純にしたものである。
【００２４】
（実施例６）
図９は本発明の実施例６にかかる眼鏡フレームの部分図であり、図９（Ａ）が部分側面図、図９（Ｂ）が部分断面図である。この実施例は、実施例５におけるバネ片２４１をヨロイ２の一部で構成するようにしたもので、ヨロイ２のテンプル側寄りの部分を延長してバネ片部２４２をけいせいし、より構造を単純化したものである。
【００２５】
なお、以上の各実施例は、本発明をリムレスフレームを用いた場合に適用した例であるが、他の形式のフレームにも適用できることは勿論である。また、弾性片の材質は、バネ性に富みかつ装飾性にも富む１８金等が好ましいが、バネ性に富む材質であれば他の金属でも樹脂でもよい。
【発明の効果】
以上説明したように本発明は、ヨロイにテンプルが折り畳み可能に結合された蝶番構造を有する眼鏡フレームにおいて、前記ヨロイ又はテンプルの一方における前記蝶番構造から離れた位置に一端が固定された弾性片と、前記ヨロイ又はテンプルの他方における前記蝶番構造から離れた位置に設けられた当接部とを有し、  前記テンプルの折り畳み状態を解除し、該テンプルを開いて眼鏡装用状態にし、該テンプルをさらに開く方向に操作した場合に、前記弾性片が当接部に当接してこれを変形させる関係に前記弾性片及び当接部の配置構造を選定したことを特徴とする。これにより、単純な構成で、デザインや構造上の制約が少なく、十分な機能及び耐久性を有し、かつ製作や修理が容易であるバネ蝶番を有する眼鏡フレーム及びこの眼鏡フレームを用いた眼鏡を得ている。
【図面の簡単な説明】
【図１】本発明の実施例１にかかる眼鏡の平面図である。
【図２】本発明の実施例１にかかる眼鏡の正面図である。
【図３】本発明の実施例１にかかる眼鏡の側面図である。
【図４】本発明の実施例１にかかる眼鏡フレームの部分断面図である。
【図５】本発明の実施例２にかかる眼鏡フレームの部分図であり、図５（Ａ）が部分側面図、図５（Ｂ）が部分断面図である。
【図６】本発明の実施例３にかかる眼鏡フレームの部分図であり、図６（Ａ）が部分側面図、図６（Ｂ）が部分断面図である。
【図７】本発明の実施例４にかかる眼鏡フレームの部分図であり、図７（Ａ）が部分側面図、図７（Ｂ）が部分断面図である。
【図８】本発明の実施例５にかかる眼鏡フレームの部分図であり、図８（Ａ）が部分側面図、図８（Ｂ）が部分断面図である。
【図９】本発明の実施例６にかかる眼鏡フレームの部分図であり、図９（Ａ）が部分側面図、図９（Ｂ）が部分断面図である。
【符号の説明】
１  眼鏡レンズ
２  ヨロイ
３  蝶番部
４  テンプル
２１  当接片
２２、４２  ビス
２４、４１、４４、２４１、２４２  バネ片
３１  蝶番軸片
３２  雄型蝶番片
３４  雌型蝶番片
４３  長穴
４４  段差部
４５  取付溝部
【図１】
0003686292.tif 000002
【図２】
0003686292.tif 000003
【図３】
0003686292.tif 000004
【図４】
0003686292.tif 000005
【図５】
0003686292.tif 000006
【図６】
0003686292.tif 000007
【図７】
0003686292.tif 000008
【図８】
0003686292.tif 000009
【図９】
0003686292.tif 000010